(57)【要約】【課題】  自動車のラゲージフロア床面に設けられた収納凹部１内を効率的に照明して、収納凹部１内での作業性の向上を図る。【解決手段】  フロアボード２に設けられた貫通孔に装着される取手本体１１と、この取手本体１１へ回動自在に組み付けられた操作ハンドル１２とを含む取手ユニット１０を備えている。そして、操作ハンドル１２の把持部１２ｃであって常態ではフロアボード２の表面側に露出しない裏面部分にタッチセンサ２０を組み込み、このタッチセンサ２０に人体が接近又は接触したとき発光ダイオード１９を点灯させる構成とした。【選択図】      図５
2007331648.tif 000002
【特許請求の範囲】
【請求項１】
ラゲージフロアの床面に設けられた収納凹部が当該床面に開口しており、その開口部はフロアボードによって開閉自在となっている自動車において、前記収納凹部内を照明するための照明装置であって、
前記フロアボードに設けられた貫通孔に装着される取手本体と、この取手本体へ回動自在に組み付けられた操作ハンドルとを含む取手ユニットと、
この取手ユニットに組み込まれ、前記フロアボードの裏面側から前記収納部内へ光を照射する光源と、
前記操作ハンドルの把持部であって常態では前記フロアボードの表面側に露出しない裏面部分に組み込まれたタッチセンサと、このタッチセンサに人体が接近又は接触したとき前記光源を点灯させる制御回路とを含むスイッチ手段と、を備えたことを特徴とする照明装置。
【請求項２】
前記制御回路は、前記タッチセンサに人体が接近又は接触している間は前記光源を点灯させるとともに、前記タッチセンサから人体が一定の距離以上に離間したとき前記光源を消灯させることを特徴とする請求項１の照明装置。
【請求項３】
前記制御回路は、前記タッチセンサに人体が接近又は接触したとき前記光源を点灯させるとともに、当該点灯タイミングから所定の時間が経過した後に前記光源を消灯することを特徴とする請求項１の照明装置。
【発明の詳細な説明】
【技術分野】
【０００１】
この発明は、自動車のラゲージフロア床面に設けられた収納凹部を照明するための照明装置に関する。
【背景技術】
【０００２】
例えば、ワゴンタイプの自動車にあっては、ラゲージフロアの床面に、スペアタイヤや工具を収納しておくための収納凹部が設けられている。
さて、セダンタイプの自動車のトランクルームにあっては、従来から内部を照明するための照明装置が設けられている（例えば、特許文献１参照）。一方、上述したようなラゲージフロア床面の収納凹部には照明装置が設けられていなく、もっぱら自動車室内の天井部に設けられたルームランプからの光線を取り込んで収納凹部内を照らす構造となっていた。
【特許文献１】実開平４−４２４４２号公報
【発明の開示】
【発明が解決しようとする課題】
【０００３】
上述した収納凹部は、常時、ラゲージフロア床面への開口部がフロアボードによって閉塞されており、工具やスペアタイヤ等の収容物は、このフロアボードを開いて取り出されるが、フロアボードの開き角度によっては、ルームランプからの光線をフロアボードが遮ってしまい、特に夜間にあっては収納凹部内の視認性がきわめて悪くなることがあった。
【０００４】
本発明はこのような事情に鑑みてなされたもので、自動車のラゲージフロア床面に設けられた収納凹部内を効率的に照明して、収納凹部内での作業性の向上を図ることを目的とする。
【課題を解決するための手段】
【０００５】
上記目的を達成するために、請求項１の発明は、ラゲージフロアの床面に設けられた収納凹部が当該床面に開口しており、その開口部はフロアボードによって開閉自在となっている自動車において、前記収納凹部内を照明するための照明装置であって、
前記フロアボードに設けられた貫通孔に装着される取手本体と、この取手本体へ回動自在に組み付けられた操作ハンドルとを含む取手ユニットと、
この取手ユニットに組み込まれ、前記フロアボードの裏面側から前記収納部内へ光を照射する光源と、
前記操作ハンドルの把持部であって常態では前記フロアボードの表面側に露出しない裏面部分に組み込まれたタッチセンサと、このタッチセンサに人体が接近又は接触したとき前記光源を点灯させる制御回路とを含むスイッチ手段と、を備えたことを特徴とする。
【０００６】
請求項２の発明は、請求項１を前提として、前記制御回路が、前記タッチセンサに人体が接近又は接触している間は前記光源を点灯させるとともに、前記タッチセンサから人体が一定の距離以上に離間したとき前記光源を消灯させることを特徴とする。
【０００７】
請求項３の発明は、請求項１を前提として、前記制御回路が、前記タッチセンサに人体が接近又は接触したとき前記光源を点灯させるとともに、当該点灯タイミングから所定の時間が経過した後に前記光源を消灯することを特徴とする。
【０００８】
請求項１の発明によれば、フロアボードを開く際に操作者が必ず把持する操作ハンドルの把持部に、操作者の手が接近又は接触するようにタッチセンサを設けたので、フロアボードの開き操作に伴い、操作者の手がタッチセンサに接近又は接触して自動的に光源を点灯させることができる。しかも、タッチセンサは、常態ではフロアボードの表面側に露出しない裏面部分に組み込まれているので、例えば、ラゲージフロアの床面に配置されたフロアボードの上にペット等の小動物を搭乗させても、これをタッチセンサが検知して光源を点灯させるような誤作動を防止できる。
このようにして、取手ユニットに組み込まれた光源が、フロアボードの裏面側から収納部内へ光を照射するので、収納凹部内が明るく効率的に照明され、その結果、収納凹部内での作業性が向上する。
ここで、光源や光源を点灯させるスイッチ手段は、いずれも取手ユニットに組み込まれるので、取手ユニットをフロアボードに装着するだけで、光源やスイッチ手段の各構成要素も取手ユニットともにフロアボードに装着できる。このため、自動車の生産稼働率向上にも寄与する。
【０００９】
請求項２の発明によれば、タッチセンサが人体の接触を検知しなくなったときこれに基づいて光源を自動的に消灯させるので、光源の消し忘れを防止できる。
同様に、請求項３の発明によっても、タッチセンサに人体が接近又は接触してから一定の時間経過後に自動的に光源を消灯させるので、光源の消し忘れを防止できる。
【発明の効果】
【００１０】
以上説明したように、本発明によれば、取手ユニットに組み込まれた光源が、フロアボードの裏面側から収納部内へ光を照射するので、収納凹部内が明るく効率的に照明され、その結果、収納凹部内での作業性が向上する。
【発明を実施するための最良の形態】
【００１１】
以下、この発明の実施の形態について図面を参照して詳細に説明する。
図１乃至図９は、本発明の実施形態に係る照明装置を説明するための図である。
図１に示すように、ワゴンタイプの自動車のラゲージフロア（カーゴフロアともいう）には、床面にスペアタイヤや工具を収納しておくための収納凹部１が設けられている。収納凹部１は、ラゲージフロアの床面に開口しており、その開口部にフロアボード２が開閉自在に装着されている。
フロアボード２は、一端縁側を回動中心として回動自在であり、他端縁の中央近傍位置に取手ユニット１０が装着されている（図２参照）。フロアボード２は、常態では収納凹部１の開口を閉塞しており、この常態位置から取手ユニット１０を把持して回動操作することにより、収納凹部１の開口を開くことができる。
【００１２】
図３に示すように、取手ユニット１０は、プラスチック等の絶縁材料からなり、取手本体１１と、操作ハンドル１２とを含む。取手本体１１は、フロアボード２に穿設された貫通孔２ａに嵌め込み（図５参照）、ビス止め等の締結手段をもって装着される。操作ハンドル１２は、外形が四角形状をしており、支軸１３により取手本体１１へ回動自在に組み付けられる。支軸１３（すなわち、回動中心）は、操作ハンドル１２の一端縁側の辺１２ａとほぼ平行に配置されている。操作ハンドル１２には、切欠部１２ｂが形成してあり、この切欠部１２ｂと他端縁側の辺とに囲まれた部分が把持部１２ｃとなっている。操作者は切欠部１２ｂに親指を除く４本の指を挿入して把持部１２ｃを把持する（図５（ｂ）参照）。
【００１３】
取手本体１１の表面には、操作ハンドル１２を収容するための凹部１１ａが形成してあり、この凹部１１ａに対応する部位が裏面側に膨出している。操作ハンドル１２が凹部１１ａに収容された状態において、操作ハンドル１２の切欠部１２ｂが配置される取手本体１１の一部領域には凹部１１ａが形成されていない。取手本体１１を裏面からみると、この一部領域に対応する部位が凹部（裏面凹部１１ｂ）となっている（図４参照）。
【００１４】
本実施形態では、図４、図５に示すように、取手本体１１の裏面凹部１１ｂ内に回路基板１５と反射ミラー１６とを組み込み、さらに開口部に拡散レンズ１７を装着している。裏面凹部１１ｂの開口部に拡散レンズ１７を装着することで、裏面凹部１１ｂ内への塵埃や水分の進入が抑制される。
回路基板１５には、タッチセンサ２０の制御回路を構成する制御部品１８と、光源としての発光ダイオード１９（ＬＥＤ）が半田付けされている。この回路基板１５は、裏面凹部１１ｂの天井面に接着固定してある。反射ミラー１６には、発光ダイオード１９を露出させる透孔１６ａが設けてあり、その周囲の表面は鏡面に形成されている。反射ミラー１６は、回路基板１５と開口部との中間部に固定して設けられており、発光ダイオード１９からの光線を拡散レンズ１７の方向へ反射させる。
【００１５】
また、操作ハンドル１２の把持部１２ｃには、図６に示すように裏面に凹部１２ｄが形成してあり、この凹部１２ｄに金属棒で構成されたタッチセンサ２０が組み込んである。このタッチセンサ２０は、把持部１２ｃを握った操作者の指が触れるように外周面がわずかに凹部１２ｄから露出して配設してある（図３、図５（ｂ）参照）。
操作ハンドル１２は、図示しないばね部材によって凹部１１ａへ収容される方向に付勢されており、常態（すなわち、操作者によって把持操作されていない状態）にあっては、図５（ａ）に示すように凹部１１ａに収容されている。このとき、タッチセンサ２０は、取手本体１１の凹部１１ａ内で操作ハンドル１２に覆われた状態となり、取手本体１１の表面には露出していない。
【００１６】
タッチセンサ２０には、図６に示すように導電コード２１の一端が連結してあり、この導電コード２１の他端はコネクタ２２を介して回路基板１５に接続されている。なお、コネクタ２２からは２本の電源コード２３ａ，２３ｂも導出している。これら導電コード２１及び電源コード２３ａ，２３ｂを裏面凹部１１ｂ内へ導き入れるために、裏面凹部１１ｂの側壁には導入孔１１ｃが設けてある。裏面凹部１１ｂの内部には塵埃や水分の付着に弱い回路基板１５が配設されているため、この導入孔１１ｃと導電コード２１及び電源コード２３ａ，２３ｂとの隙間は、ゴムパッキン等により閉塞しておくことが好ましい。
【００１７】
図７は本実施形態に係る照明装置の電気系統を示す回路ブロック図である。同図に示すように、１本の電源コード２３ａは自動車のバッテリーへ接続され、他の１本の電源コード２３ｂは接地されている。発光ダイオード１９は、２本の電源コード２３ａ，２３ｂの間に直列に設けられている。そして、その直列回路の間にタッチセンサ２０の制御回路を構成する制御部品１８が介在しており、この制御部品１８が、発光ダイオード１９への電源供給をＯＮ／ＯＦＦする構成となっている。
【００１８】
制御部品１８には、バッテリーからの電源が供給されており、さらにタッチセンサ２０が接続されている。タッチセンサ２０と制御部品１８は、いわゆる静電容量センサを構成している。すなわち、制御部品１８の内部には静電容量の変化を検出する回路が構成されており、タッチセンサ２０に操作者の指が触れたとき、その静電容量に変化が生じて当該操作者の指の接触を検知する構成となっている。制御部品１８は、操作者の指（人体）を検知したとき、発光ダイオード１９への電源供給をＯＮにする。これにより、発光ダイオード１９が発光する。
【００１９】
なお、タッチセンサ２０に人体が接近したとき静電容量が変化して、当該人体の接近を検知する非接触型の静電容量センサも市販されており、この種の非接触型静電容量センサを適用することもできる。
【００２０】
また、制御部品１８（制御回路）は、タッチセンサ２０に人体が接近又は接触している間は発光ダイオード１９を点灯させるとともに、タッチセンサ２０から人体が一定の距離以上に離間したとき発光ダイオード１９を消灯させる構成とする以外にも、例えば、タッチセンサ２０に操作者の手が触れる毎、交互に発光ダイオードをＯＮ／ＯＦＦさせるように構成してもよい。また、タイマー機能を付加して、発光ダイオード１９を点灯してから所定の時間が経過した後に発光ダイオード１９を消灯する構成とすることもできる。
【００２１】
図８は取手ユニット１０が装着されたフロアボード２の裏面を示す斜視図である。同図に示すように、取手本体１１の裏面はフロアボード２の裏面に露出している。したがって、発光ダイオードから発射される光線は、拡散レンズ１７で発散されて広い角度範囲にフロアボード２の裏面から発射される。
【００２２】
次に、図９及び図５を参照して、上述した照明装置の作用を説明する。
既述したように、常態では、タッチセンサ２０は取手本体１１の凹部１１ａ内で操作ハンドル１２に覆われた状態となり、取手本体１１の表面に露出していない（図５（ａ）、図９（ａ）参照）。したがって、例えば、ラゲージフロアの床面に配置されたフロアボード２の上にペット等の小動物を搭乗させても、これをタッチセンサ２０が検知して光源を点灯させるような誤作動を防止できる。
【００２３】
ラゲージフロアの床面に設けられた収納凹部１から収納物を取り出す際には、操作ハンドル１２の把持部１２ｃを握り、フロアボード２を引き上げるようにする。この操作によって、フロアボード２が回動して、収納凹部１の開口が開く（図５（ｂ）、図９（ｂ）参照）。ここで、操作者が操作ハンドル１２の把持部１２ｃを握ると同時に、操作者の指がタッチセンサ２０に触れる。そうすると、図７に示した制御部品１８が発光ダイオード１９への電源供給をＯＮにする。これにより、発光ダイオード１９が自動的に発光する。
【００２４】
発光ダイオード１９からの光線は、拡散レンズ１７で発散されて広い角度範囲にフロアボード２の裏面から発射され、対向する収納凹部１の内部に照射される。よって、収納凹部１内が明るく効率的に照明され、その結果、収納凹部１内での作業性が向上する。
【００２５】
なお、本発明は上述した実施形態に限定されるものではない。
例えば、図３、図５等に示した先の実施形態では、操作ハンドル１２の把持部１２ｃの裏面に、金属棒で構成されたタッチセンサ２０を組み込んだが、図１０、図１１に示すように、タッチセンサ２０をセンシングテープ等の導電性テープで構成し、これを操作ハンドル１２の把持部１２ｃの裏面に貼り付けてもよい。導電性テープで構成されたタッチセンサ２０にも導電コード２１の一端が連結される。
【００２６】
また、操作ハンドルを常態へ戻る方向に付勢しているばね部材を金属製のねじりコイルばねで構成し、このねじりコイルばねを導電コード２１の代わりとし、このねじりコイルばねを介してタッチセンサ２０と回路基板１５とを電気的に接続することもできる。
【００２７】
さらに、本発明の照明装置が組み込まれる取手ユニット１０は、例えば、特開２００３−１２０１０１号公報に開示されたようなフロアボード２の開閉ロック機能を有するものを適用することもできる。また、特開２００２−１７８４１１号公報に開示されたような裏カバーを有する取手ユニットを適用することもできる。この場合、少なくとも発光ダイオード１９等の光源は、裏カバーから裏面側に露出させておく。
【図面の簡単な説明】
【００２８】
【図１】ワゴンタイプの自動車のラゲージフロアを示す斜視図である。
【図２】フロアボードの表面を示す斜視図である。
【図３】本発明の実施形態に係る照明装置を構成する取手ユニットを示す斜視図である。
【図４】本発明の実施形態に係る照明装置の主要部が組み込まれる取手ユニットの裏面構造を示す分解斜視図である。
【図５】本発明の実施形態に係る照明装置の主要部が組み込まれた取手ユニットの断面図である。
【図６】取手ユニットの操作ハンドルとこれに組み込まれるタッチセンサを示す背面図である。
【図７】本発明の実施形態に係る照明装置の電気系統を示す回路ブロック図である。
【図８】本発明の実施形態に係る照明装置が組み込まれたフロアボードの裏面を示す斜視図である。
【図９】本発明の実施形態に係る照明装置の作用を説明するための断面図である。
【図１０】本発明の変形例を図３に対応させて示す斜視図である。
【図１１】図１０に示した本発明の変形例を図５に対応させて示す断面図である。
【符号の説明】
【００２９】
１：収納凹部、２：フロアボード、
１０：取手ユニット、１１：取手本体、１１ａ：凹部、１１ｂ：裏面凹部、１１ｃ：導入孔、１２：操作ハンドル、１２ｂ：切欠部、１２ｃ：把持部、１２ｄ：凹部
１５：回路基板、１６：反射ミラー、１７：拡散レンズ、１８：制御部品、１９：発光ダイオード、２０：タッチセンサ、２１：導電コード、２２：コネクタ、２３ａ，２３ｂ：電源コード
【図１】
2007331648.tif 000003
【図２】
2007331648.tif 000004
【図３】
2007331648.tif 000005
【図４】
2007331648.tif 000006
【図５】
2007331648.tif 000007
【図６】
2007331648.tif 000008
【図７】
2007331648.tif 000009
【図８】
2007331648.tif 000010
【図９】
2007331648.tif 000011
【図１０】
2007331648.tif 000012
【図１１】
2007331648.tif 000013